(57)【要約】【課題】  軽量で、かつ、安価にでき、しかも大量生産が容易であり、購入者には組み立てを楽しむことができるマッサージ枕の組立セットを提供する。【解決手段】  本発明のマッサージ枕１０の組立セットは、２枚の正六角形の側板１２と、正六角柱における同一向きの辺間に架設され、一対の指圧突起１１ａ、１１ａを備えた２枚の指圧板１１と、正六角柱の同一向きの辺間に架設される３枚の補強板１３と、１枚の設置板１４と、を有し、指圧板１１と補強板１３と設置板１４とで正六角形の２枚の側板の全ての辺を結合し、指圧突起が正六角柱の柱から側方に突出するように組み立てるマッサージ枕の組立セットであって、側板、指圧板、補強板、設置板の少なくとも１つ以上が、表板と裏板とを貼り合わせるように構成され、表板と裏板とを貼り合わせたとき、表板と裏板との間に空間が形成される構成である。【選択図】      図１
2010207305.tif 000002
【特許請求の範囲】
【請求項１】
相互に離間して、表板が外側になるようにして、向きを揃え、かつ多角柱の柱を構成できるように平行に配置された複数の多角形の側板と、各側板の同一向きの辺間に架設され、一対の指圧突起を備えた１枚又は２枚以上の指圧板と、各側板の同一向きの辺間に架設される１枚又は２枚以上の補強板と、を有し、前記指圧突起が前記多角形の側板間で形成される多角柱の柱から側方に突出するように組み立てるマッサージ枕の組立セットであって、前記側板、指圧板、補強板の少なくとも１つ以上が、表板と裏板とを貼り合わせるように構成され、表板と裏板とを貼り合わせたとき、前記表板と裏板との間に空間が形成されることを特徴とするマッサージ枕の組立セット。
【請求項２】
前記表板と裏板の間の空間に表板と裏板との間隔を保持する補強柱を設けたことを特徴とする請求項１に記載のマッサージ枕の組立セット。
【請求項３】
前記補強柱が、前記表板と裏板のいずれか一方に形成された凹型柱と、表板と裏板のいずれか他方に形成された凸型柱とからなり、凹型柱と凸型柱とが嵌合することを特徴とする請求項２に記載のマッサージ枕の組立セット。
【請求項４】
前記凸型柱が多角柱であり、前記凹型柱が前記多角柱と嵌合する多角形の穴の内部構造であることを特徴とする請求項３に記載のマッサージ枕の組立セット。
【請求項５】
前記指圧板が複数枚あり、各指圧板の前記一対の指圧突起の間隔が異なることを特徴とする請求項１から４のいずれかに記載のマッサージ枕の組立セット。
【請求項６】
前記指圧板、側板、補強板の全てが、透明な合成樹脂製であることを特徴とする請求項１から５のいずれかに記載のマッサージ枕の組立セット。
【請求項７】
前記一部の補強板が設置板であり、該設置板が、その一端を前記多角柱の柱の側方に突出させていることを特徴とする請求項１から６のいずれかに記載のマッサージ枕の組立セット。
【発明の詳細な説明】
【技術分野】
【０００１】
本発明は、首や頭の凝りをほぐすためのマッサージ枕に関し、特に、購入者が簡単に組み立てることができるマッサージ枕の組立セットに関する。
【背景技術】
【０００２】
首や頭の凝りをほぐすマッサージ枕として、例えば、特許文献１（特開２００１−１８６９７３号）が知られている。これは、枕の上面に、ほぼ球状の突起を２つ近接して配置したものである。球状の突起を首筋に当てて寝ると、頭の重さで指圧できるようになっている。
【０００３】
また、特許文献２（登録実用新案第３００４１１９号）では、指圧用の突起に加えて芳香が出るようにしたものもある。芳香によって、気分を爽快にすることができる。
【０００４】
また、本願の発明者が創作した非特許文献１（登録意匠第１３４２３９４号）では、正六角柱の三辺に、厚い板を取り付け、厚い板の２つには、Ｕ字状の突起を形成したマッサージ枕を提案している。マッサージ枕を床上に置き、頭や首が突起の上に載るようにする。突起により頭や首のつぼを指圧することで、マッサージ効果が生じる。２片の突起は、その間隔が相違しており、太い首や細い首又は頭の大きさの違いに対応したり、指圧する位置を変えることができるようにしている。
【先行技術文献】
【特許文献】
【０００５】
【特許文献１】特開２００１−１８６９７３号
【特許文献２】登録実用新案第３００４１１９号
【非特許文献１】登録意匠第１３４２３９４号
【発明の概要】
【発明が解決しようとする課題】
【０００６】
しかしながら、特許文献１及び特許文献２の枕は、突起の形や位置や大きさや角度が一定であり、それによる指圧の強さも一定であり、太い首や細い首に対応できない。さらに、構成も複雑であり、製造コストが高くなる、という問題があった。
【０００７】
非特許文献１に記載のマッサージ枕は、突起の間隔を相違させたものを設けるので、太い首にも細い首にも又は頭の大きさの違いにも対応できる。又は指圧する位置を変えることができるようにしている。しかし、材料が木製又は合成樹脂製で、中空ではなく中実なので重くなり、コストも高くなるという問題があった。
【０００８】
さらに、上記いずれの枕も、完成したものを購入するので、購入者には、楽しみながら組み立てるといったことは全く考慮されていない。また、特許文献１及び特許文献２の枕は、幾何的な美しい形、美感をしていないので、枕を組み立てたいという意欲も湧いてこない。
【０００９】
本発明は、斯かる実情に鑑み、軽量で、かつ、安価にでき、しかも大量生産が容易であり、購入者には組み立てを楽しむことができるマッサージ枕の組立セットを提供することを目的としている。
【課題を解決するための手段】
【００１０】
上記の目的を達成するために本発明のマッサージ枕の組立セットは、先ず、仮想の、質量のない、空洞の多角柱を仮定し、その多角柱以内において、それに内接して相互に離間して、表板が丁度真外側になるようにして、向きを揃えて平行に配置された、複数の多角形の側板と、多角柱における同一向きの辺間に架設され、一対の指圧突起を備えた１枚又は２枚以上の指圧板と、多角柱における同一向きの辺間に架設される１枚又は２枚以上の補強板と、を有し、前記指圧突起が多角柱の柱から側方に突出するように組み立てるマッサージ枕の組立セットであって、前記側板、指圧板、補強板の少なくとも１つ以上が、表板と裏板とを貼り合わせるように構成され、表板と裏板とを貼り合わせたとき、前記表板と裏板との間に空間が形成されることを特徴としている。
【００１１】
前記表板と裏板の間の空間に表板と裏板との間隔を保持する補強柱を設けた構成としたり、前記補強柱が、表板と裏板のいずれか一方に形成された凹型柱と、表板と裏板のいずれか他方に形成された凸型柱とからなり、凹型柱と凸型柱とが嵌合する構成としたり、前記凸型柱が多角柱であり、前記凹型柱が前記多角柱と嵌合する多角形の穴の内部構造である構成としたり、前記指圧板が複数枚あり、各指圧板の前記一対の指圧突起の間隔が異なる構成としたり、前記指圧板、側板、補強板の全てが、透明な合成樹脂製である構成としたり、前記一部の補強板が設置板であり、該設置板が、その一端を前記段落０００９で提示した仮定の多角柱の柱の側方に突出させている構成としたりすることができる。
【発明の効果】
【００１２】
本発明によれば、マッサージ枕がプラモデルのような組立セットになっているので、単に使用するだけでなく、キットを購入して組み立てることで、購入者は組み立て作業を楽しむことができる。また、マッサージ枕全体が幾何学的な美しい形、美感をしているので、マッサージ枕を組み立てたいという意欲も湧いてくる構造となっている。さらに、プラモデル同様に、一度金型を作ってしまえば、大量生産を容易にすることができる性質を備える。さらに、組み立てを購入者が行うので、その分製造コストを安価にすることができる。また、表板と裏板との間に空間が形成される構成なので、マッサージ枕を軽量にすることができ、材料費を減少して製造コストを安価にすることができる、という優れた効果を奏する。
【００１３】
表板と裏板の間の空間に表板と裏板との間隔を保持する補強柱を設けることで、表板と裏板との間の空間を大きくしても強度を確保でき、さらにコストダウンを図ることができる。また、その間隔を変えることで、指圧板・設置板の押圧の強さを調整できる。
【００１４】
また、空間により重量が低下することから、熱容量が小さくなり、指圧突起部分等も首等に接触すると短時間で体温まで温められ、冷たい等の違和感を和らげることができる。
【００１５】
補強柱を凹型柱と凸型柱とが適切に嵌合する構造にすることで、位置決めや組み立てを容易かつ確実にすることができる。さらに、凸型柱と凹型柱の穴とを同じ多角形にすれば、表板と裏板の位置合わせや組立も容易かつ確実になり、組み立て易くなる。
【００１６】
指圧板が複数枚あり、各指圧板の前記一対の指圧突起の間隔が異なる構成にすることで、１つのマッサージ枕で太い首にも細い首にも又は頭の大きさの違いにも対応できる。又は、指圧する位置を変更できる。
【００１７】
指圧板、側板、補強板及び設置板の全てを、透明な合成樹脂製にすることで、マッサージ枕の美感が向上し、インテリアとしても利用できるようになる。また、マッサージ枕を組み立てたいという意欲をかき立てる。
【図面の簡単な説明】
【００１８】
【図１】本発明のマッサージ枕を組み立てた状態を示す図で、（ａ）は斜視図、（ｂ）は（ａ）のＡから見た図である。
【図２】指圧板の表板の図で（ａ）は中央断面図、（ｂ）は正面図である。
【図３】指圧板の裏板の図で、（ａ）は中央断面図、（ｂ）は正面図である。
【図４】表板と裏板とを貼り合わせて指圧板とした図で、（ａ）は中央断面図、（ｂ）は正面図である。
【図５】側板の表板の図で（ａ）は中央断面図、（ｂ）は正面図である。
【図６】側板の裏板の図で（ａ）は中央断面図、（ｂ）は正面図である。
【図７】表板と裏板とを貼り合わせて側板とした図で、（ａ）は中央断面図、（ｂ）は正面図である。
【図８】補強板の表板の図で（ａ）は中央断面図、（ｂ）は正面図である。
【図９】補強板の裏板の図で（ａ）は中央断面図、（ｂ）は正面図である。
【図１０】表板と裏板とを貼り合わせて補強板とした図で、（ａ）は中央断面図、（ｂ）は正面図である。
【図１１】設置板の表板の図で（ａ）は中央断面図、（ｂ）は正面図である。
【図１２】設置板の裏板の図で（ａ）は中央断面図、（ｂ）は正面図である。
【図１３】表板と裏板とを貼り合わせて設置板とした図で、（ａ）は中央断面図、（ｂ）は正面図である。
【発明を実施するための形態】
【００１９】
以下、本発明の実施の形態を添付図面を参照して説明する。
図１は本発明のマッサージ枕を組み立てた状態を示す図で、（ａ）は斜視図、（ｂ）は（ａ）のＡから見た図である。この図に示すマッサージ枕１０は、２枚の指圧板１１と２枚の側板１２と、３枚の補強板１３と、この補強板より大きな補強板である１枚の設置板１４とから組み立てられる。これら指圧板１１から設置板１４まで、全て透明の合成樹脂で形成されている。透明であれば無色でも有色でもよい。合成樹脂としては、透明であればよいが、アクリルが透明度も高く、綺麗であることから望ましい。
【００２０】
指圧板１１は、長辺の一方側が曲線で形成され、中央に２つの指圧突起１１ａ、１１ａが所定の間隔を開けて形成されている。六角の側板１２、１２は、正六角形の板状で、本発明の実施例では、マッサージ枕１０の両端に２枚であるが、中間に１枚又は複数枚いれてもよい。また、多角形であれば、六角形以外の三角、四角、五角、等何でもよい。勿論正多角形である必要もない。さらに、前期側板１２，１２は、必ずしもマッサージ枕１０の両端でなければならないわけではなく、マッサージ枕１０の内側寄りに配置させてもよい。
【００２１】
補強板１３は、側板１２、１２の同じ向きの辺間に架設されている。補強板１３は、指圧板１１と指圧板１１の間、及び指圧板１１と設置板１４の間に合計３枚設けられ、マッサージ枕１０の強度を確保している。また、指圧板１１と補強板１３と設置板１４で側板間の六つの辺の全てを結合し、かつ前記の仮定の多角柱の全ての面を閉塞して、枕内部にごみなどが入らないようにしている。ただし、多角形の全ての辺を結合したり、前記の仮定の多角柱の全ての面を閉塞することは必須ではなく、一部の辺の結合をしなかったり、前記の仮定の多角柱の一部の面を閉塞しなかったりしてもよい。
【００２２】
補強板を兼ねる設置板１４は、マッサージ枕１０を床等に載置する際に床等に接地される部分で、他の補強板１３より短辺側が長く、一方が正六角柱の柱より側方に突出した状態である。このように正六角柱の柱より側方に突出するようにして板を大きくし、マッサージ枕１０を床等に安定して載置できるようにしている。
【００２３】
図２から図４は、指圧板１１の分解図で、図２は指圧板の表板の図で（ａ）は中央断面図、（ｂ）は正面図である。図３は指圧板の裏板の図で、（ａ）は中央断面図、（ｂ）は正面図である。図４は表板と裏板とを貼り合わせて指圧板とした図で、（ａ）は中央断面図、（ｂ）は正面図である。
【００２４】
これらの図に示すように、指圧板１１は、表板１１’と裏板１１”とから構成されている。表板１１’と裏板１１”とは、合成樹脂の射出成型などにより製造することができる。表板１１’と裏板１１”はほぼ同じ形状で、特に貼り合わせ面は、同一形状で、ほぼ矩形のベース部分に曲線形状をした指圧突起１１ａ、１１ａが形成されている。指圧突起１１ａは、表板１１’と裏板１１”を重ね合わせたとき、先端がほぼ半球形状となる。指圧突起１１ａ，１１ａ間の距離Ｄは、首や頭の両側のツボを指圧することができる距離である。この実施例では、図１に示すように２枚の指圧板１１、１１を使用しているが、各指圧板１１の指圧突起１１ａ間の距離は、Ｄ１とＤ２とで相違して形成されている。これは、短い距離の方が細い首又は小さい頭用、長い距離の方が太い首又は大きい頭用として使用するか、又は、指圧する位置を変えることができるようにするためである。マッサージ枕を、たとえば、Ｓ、Ｍ、Ｌの３段階のサイズで作成する等により、万人が自分の体に合ったマッサージ枕を手にすることができるようになる。指圧板１１の構成板が合成樹脂製の射出成型などにより製造することができることは、以下に記載する他の部品についても同じである。
【００２５】
表板１１’と裏板１１”は、図の下辺以外の周辺にリブ１１ｂが立設され、表裏のリブ１１ｂが重なり合うようになっている。また、表板１１’には、中央に１本と両側に各２本、合計５本の凹型柱１１ｃが立設され、裏板１１”には、凹型柱１１ｃに嵌合する５本の凸型柱１１ｄが立設されている。これらの凹型柱１１ｃと凸型柱１１ｄとで、補強柱を構成している。
【００２６】
ただし、この補強柱は必須ではない。表板１１’と裏板１１”の厚さが充分であれば、補強柱は不要になる。しかし、補強柱を設けることで、表板１１’と裏板１１”の厚さを薄くして材料を節約することができる。また、補強柱の構成も実施例のものに限定されず、多様な構成を採用できる。勿論、補強柱の数も実施例に限定されるものではなく、増減可能なものである。
【００２７】
指圧板１１は、表板１１’と裏板１１”を重ね合わせることで組み立てられる。すなわち、裏板１１”の凸型柱１１ｄに接着剤を塗布して表板１１’と重ね合わせる。凸型柱１１ｄが凹型柱１１ｃ内に入り、リブ１１ｂ同士が重なり合い、接着剤の作用により接着される。このとき、リブ１１ｂ同士も接着剤で接着してもよい。また、凹型柱１１ｃと凸型柱１１ｄの配置を適切にすることで、表板１１’と裏板１１”との位置合わせを簡単で、かつ確実なものにすることができる。凹型柱１１ｃの先端にも接着剤を塗布してもよい。
また、この凹型柱１１ｃの先端への接着剤の使用については、以下に記載する他の部品についても同じである。
【００２８】
図４（ａ）に示すように、組み立てられた指圧板１１は、表板１１’と裏板１１”との間に空間が形成されており、下端が正六角形の側板１２に合わせて傾斜している。また、指圧板１１の下方は開放された状態となっている。
【００２９】
図示の実施例では表板１１’に凹型柱１１ｃを形成し、裏板１１”に凸型柱１１ｄを形成している。しかし、逆に、表板１１’に凸型柱１１ｄを形成し、裏板１１”に凹型柱１１ｃを形成してもよい。ただし、接着剤で表板１１’と裏板１１”とを接着する場合、凸型柱１１ｄの先端に接着剤を塗布し、凹型柱１１ｃ内に嵌合させるが、余分な接着剤が凹型柱１１ｃの先端側に漏れ出てきて、硬化する。接着剤の硬化したものは、透明度や形が悪いので、接着剤が表板に付かないようにすることが望ましい。そのような理由から、図示の実施例では、表板１１’側に凹型柱１１ｃを形成している。この表板側に凹型柱を形成している理由は、以下に記載する他の部品についても同じである。
【００３０】
図５から図７は、側板１２の分解図で、図５は表板の図で（ａ）は中央断面図、（ｂ）は正面図である。図６は裏板の図で、（ａ）は中央断面図、（ｂ）は正面図である。図７は表板と裏板とを貼り合わせて側板とした図で、（ａ）は中央断面図、（ｂ）は正面図である。
【００３１】
これらの図に示すように、側板１２は、表板１２’と裏板１２”とから構成されている。表板１２’と裏板１２”は同じ大きさで、正面は正六角形である。
【００３２】
表板１２’と裏板１２”は、周辺全体にリブ１２ａが立設され、表裏のリブ１２ａが重なり合うようになっている。また、表板１２’には、中央に１本の凹型柱１２ｃが立設され、裏板１２”には、凹型柱１２ｃに対応して１本の凸型柱１２ｄが立設されている。
【００３３】
側板１２は、表板１２’と裏板１２”を重ねることで組み立てられる。すなわち、表板１２’と裏板１２”のリブ１２ａの頂面と、凸型柱１２ｄとに接着剤を塗布して重ね合わせる。凸型柱１２ｄが凹型柱１２ｃ内に入り、リブ１２ａ同士が重なり合い、接着剤により接着される。このとき、凹型柱１２ｃの穴と凸型柱１２ｄの形状を四角等の多角形にしておいたり、凹型柱１２ｃと凸型柱１２ｄの配置や方向を適切にしておくことで、表板１２’と裏板１２”との位置合わせや方向の一致を簡単で、かつ確実なものにすることができる。
【００３４】
図７（ａ）に示すように、組み立てられた側板１２は、表板１２’と裏板１２”との間に空間が形成されており、凹型柱１２ｃと凸型柱１２ｄとで、補強柱を構成している。補強柱の構成を変えたり、数量を増減したり、省略できる場合があることは指圧板１１の場合と同じである。
【００３５】
図８から図１０は、補強板の分解図で、図８は表板の図で（ａ）は中央断面図、（ｂ）は正面図である。図９は裏板の図で、（ａ）は中央断面図、（ｂ）は正面図である。図１０は表板と裏板とを貼り合わせて補強板とした図で、（ａ）は中央断面図、（ｂ）は正面図である。
【００３６】
これらの図に示すように、補強板１３は、表板１３’と裏板１３”とから構成されている。表板１３’と裏板１３”は共に矩形であり、表板１３’の断面形状は台形状になっている。補強板１３の裏板１３”は概ね薄い台形の板状で、その長さはマッサージ枕１０の長さと同じで、底面の幅は、多角形の側板１２の一辺の長さと指圧板及び設置板の開放された下面を覆う長さである。
【００３７】
表板１３’は、周辺全体にリブ１３ａが立設され、裏板１３”の周縁部ときれいに丁度重なり合うようになっている。また、表板１３’には、中央に２本と両側に各２本、合計６本の凹型柱１３ｃが立設され、裏板１３”には、凹型柱１３ｃに対応して６本の凸型柱１３ｄが立設されている。
【００３８】
補強板１３は、表板１３’と裏板１３”を重ねることで組み立てられる。すなわち、表板１３’のリブ１３ａの頂面と、凸型柱１３ｄとに接着剤を塗布して重ね合わせる。凸型柱１３ｄが凹型柱１３ｃ内に入り、リブ１３ａが裏板１３”の周縁部ときれいに丁度重なり合い、接着剤により接着される。このとき、凹型柱１３ｃと凸型柱１３ｄの配置を適切にしておくことで、表板１３’と裏板１３”との位置合わせを簡単で、かつ確実にすることができる。
【００３９】
図１０（ａ）に示すように、組み立てられた補強板１３は、表板１３’と裏板１３”との間に空間が形成されており、凹型柱１３ｃと凸型柱１３ｄとで、補強柱を構成している。補強柱の構成を変えたり、数量を増減したり、省略できる場合があることは指圧板１１の場合と同じである。
【００４０】
図１１から図１３は、設置板の分解図で、図１１は表板の図で（ａ）は中央断面図、（ｂ）は正面図である。図１２は裏板の図で、（ａ）は中央断面図、（ｂ）は正面図である。図１３は表板と裏板とを貼り合わせて設置板とした図で、（ａ）は中央断面図、（ｂ）は正面図である。
【００４１】
これらの図に示すように、設置板１４は、表板１４’と裏板１４”とから構成されている。表板１４’と裏板１４”は共に概ね矩形である。
【００４２】
表板１４’と裏板１４”は、下辺を除く３辺にリブ１４ａが立設され、表裏のリブ１４ａが重なり合うようになっている。また、表板１４’には、図示のように８本の凹型柱１４ｃが立設され、裏板１４”には、凹型柱１４ｃに対応して８本の凸型柱１４ｄが立設されている。
【００４３】
設置板１４は、表板１４’と裏板１４”を重ねることで組み立てられる。すなわち、表板１４’と裏板１４”のリブ１４ａの頂面と、凸型柱１４ｄとに接着剤を塗布して重ね合わせる。凸型柱１４ｄが凹型柱１４ｃ内に入り、リブ１４ａ同士が重なり合い、接着剤により接着される。このとき、凹型柱１４ｃと凸型柱１４ｄの配置を適切にしておくことで、表板１４’と裏板１４”との位置合わせを簡単で、確実にすることができる。
【００４４】
図１３（ａ）に示すように、組み立てられた設置板１４は、表板１４’と裏板１４”との間に空間が形成されており、凹型柱１４ｃと凸型柱１４ｄとで、補強柱を構成している。補強柱の構成を変えたり、数量を増減したり、省略できる場合があることは指圧板１１の場合と同じである。また、組み立てられた設置板１４は、矩形の上辺が閉じられ、半円筒形状になっていて、下辺は、開放されている。
【００４５】
マッサージ枕１０の組み立て方は、以下の通りである。まず、指圧板１１、側板１２、補強板１３、設置板１４を上述したように表板と裏板とに接着剤を塗布して重ね合わせて接着しておく。
【００４６】
次に、先ず、仮想の、質量のない、空洞の正六角柱を仮定し、その正六角柱以内において、それに内接して相互に離間して、表板が丁度真外側になるようにして、正六角柱の両端で向きを揃えて平行に配置された、２枚の正六角形の側板１２、１２と、正六角柱における同一向きの辺間に架設され、一対の指圧突起を備えた２枚の指圧板１１、１１を架設する。２枚の指圧板１１、１１は、正六角柱の隣接する辺ではなく１辺開けた辺に架設する。２枚の指圧板１１、１１の間の辺には、補強板１３を貼り付ける。補強板１３は、正六角柱の１辺おきに３枚貼り付ける。最後に残った１辺に、補強板１３より大きな補強板である設置板１４を貼り付ける。
【００４７】
２枚の指圧板１１と１枚の設置板１４は、それぞれ下方が開放されているが、この開放部分は３枚の補強板１３によって封止される。
【００４８】
以上でマッサージ枕１０が完成する。完成したマッサージ枕１０は、中空構造で、全てが封止された構造となる。実施例では、指圧板１１を２枚使用しており、指圧突起１１ａ、１１ａの間隔Ｄ１、Ｄ２を相違させ、太い首と細い首又は頭の大きさの違いに対応させたり、指圧する位置を変更したりすることができるようにしている。設置板１４を床に接地させて頭を載せると、Ｄ１の方が首や後頭部に当たるようになる。Ｄ１の方の指圧板１１を接地させて、頭を載せると、Ｄ２の方が首や後頭部に当たる。Ｄ１とＤ２のうち、使用する人の首や後頭部のつぼに合った方を使用することになる。載せた頭や首を自由に振ることで、マッサージ効果を高くすることができる。但し、Ｄ１＞Ｄ２としておき、設置板が下に来たときに首の太い人、又は頭の大きな人がＤ１を使えるようにしておくことが、安定感があって望ましい。しかし、指圧突起１１aは、その二つの突起部分の内の片方だけを使って頭や首を指圧することも当然できる。そして、この指圧についても下記段落００４８で述べることが全て実行できる。
【００４９】
マッサージ枕１０を回転させて床に対する設置角度や位置を変え、マッサージ枕を手等で支えることで、後頭部をマッサージ枕が支えるために、簡単に指圧突起１１ａの高さを変えることができ、首や後頭部のツボを押圧する力を調節することができる。このようにすることで、押圧する位置や強さ、角度を自在に調整できる。また、指圧突起１１ａに載せた首や頭を自由に振れば、さらにマッサージ効果を上げることができる。さらに、軽量なため、簡単にマッサージ枕を回転でき、すると単なる枕としても使える為、マッサージと休憩との切替が容易にできるというメリットもある。
なお、上記とは逆向きに、マッサージ枕１０を回転させて床に対する設置角度や位置を変え、マッサージ枕を手等で支えることで、首や後頭部のツボを押圧する力をより一層強くし、またその位置や角度をも変更することが可能である。
【００５０】
指圧突起１１ａによる押圧力が大きすぎる場合は、タオル等を被せて使用するとよい。これによって、清潔さも保つことができる。また、アクリル製等で内部が空洞になっているので、直接首や後頭部を押し当てても、指圧突起１１ａが短時間で体温まで上昇するので、冷たい等の違和感を感じる時間を短くすることができる。
【００５１】
また、設置板１４が首や後頭部に当たるようにすることもできる。設置板１４の半円筒の先端縁で押圧することも可能となる。首や頭を自由に振ることでマッサージ効果を高めることができる。さらに、上記同様に設置板は内部が空洞になっているので、直接首や後頭部を押し当てても、設置板の接触部分が短時間で体温まで上昇するので、冷たい等の違和感を感じる時間を短くすることができる。
また、上記段落００４８で述べたことが、この設置板による押圧についても全て実行できる。この場合も、設置板の先端縁による押圧力が大きすぎる場合は、タオル等を被せて使用するとよい。これによって、清潔さも保つことができる。
【００５２】
あるいは、マッサージ枕１０を立てて使用してもよい。この場合、マッサージ枕を手等で支え、必要なら側板等の側面の一部に後頭部や首を載せながらマッサージ枕１０の角が首や頭のツボを押して指圧効果を得ることもでき、またマッサージ枕１０の床に対する位置や角度やその角を変えることで、指圧の位置や角度や強さを自在に調整できる。さらに、上記同様にマッサージ枕１０は内部が空洞になっているので、直接首や後頭部を押し当てても、マッサージ枕１０の接触部分が短時間で体温まで上昇するので、冷たい等の違和感を感じる時間を短くすることができる。さらに首や頭を自由に振ることによってマッサージ効果を高めることができる。さらに、軽量なため、簡単にマッサージ枕１０を自由に動かせられ、すると単なる枕としても使える為、マッサージと休憩をとの切替が容易にできるというメリットもある。なお、マッサージ枕の長さを適当なものにしておけば、横になってテレビを見る場合の枕として使用することもできる。この場合も、枕との接触によって痛いなどの違和感を感じるのならば、タオルを被せて使用するとよい。これによって、清潔さも保つことができる。
【００５３】
本発明のマッサージ枕１０は、電気エネルギーを使用していないので、二酸化炭素の排出も無い。また、中空構造なので、軽量であり、持ち運びが楽にでき、横になる場所さえあれば、どこでも使用することができる。
【００５４】
さらに、マッサージ枕がプラモデルのような組立セットになっているので、単に使用するだけでなく、キットを購入して組み立てることで、購入者は組み立て作業を楽しむことができる。また、マッサージ枕全体が幾何学的な美しい形、美感をしているので、マッサージ枕を組み立てたいという意欲も湧いてくる構造となっている。さらに、プラモデル同様に、一度金型を作ってしまえば、大量生産を容易にすることができる性質を備える。さらに、組み立てを購入者が行うので、その分製造コストを安価にすることができる。また、表板と裏板との間に空間が形成される構成なので、マッサージ枕を軽量にすることができ、材料費を減少して製造コストを安価にすることができる、という優れた効果を奏する。
【００５５】
指圧板、側板、補強板及び設置板の全てを、透明な合成樹脂製にすることで、マッサージ枕の美感が向上し、インテリアとしても利用できるようになる。また、マッサージ枕を組み立てたいという意欲をかき立てる。
【００５６】
なお、実施例では、組み立てには、接着剤を使用したが、ねじや嵌め込み等で組み立てるようにしてもよく、ねじと嵌め込みと接着剤を併用することでもよい。また、上記実施例では、側板、指圧板、補強板及び設置板の全てを表板と裏板の貼り合わせ構造としているが、一部のものを貼り合わせない中実材としてもよい。
【符号の説明】
【００５７】
１０      マッサージ枕
１１      指圧板
１１’    （指圧板の）表板
１１”    （指圧板の）裏板
１１ａ    指圧突起
１１ｃ    凹型柱（補強柱）
１１ｄ    凸型柱（補強柱）
１２      側板
１２’    （側板の）表板
１２”    （側板の）裏板
１２ｃ    凹型柱（補強柱）
１２ｄ    凸型柱（補強柱）
１３      補強板
１３’    （補強板の）表板
１３”    （補強板の）裏板
１３ｃ    凹型柱（補強柱）
１３ｄ    凸型柱（補強柱）
１４      設置板
１４’    （設置板の）表板
１４”    （設置板の）裏板
１４ｃ    凹型柱（補強柱）
１４ｄ    凸型柱（補強柱）
【図１】
2010207305.tif 000003
【図２】
2010207305.tif 000004
【図３】
2010207305.tif 000005
【図４】
2010207305.tif 000006
【図５】
2010207305.tif 000007
【図６】
2010207305.tif 000008
【図７】
2010207305.tif 000009
【図８】
2010207305.tif 000010
【図９】
2010207305.tif 000011
【図１０】
2010207305.tif 000012
【図１１】
2010207305.tif 000013
【図１２】
2010207305.tif 000014
【図１３】
2010207305.tif 000015